(57)【要約】【課題】一旦貼付した無線情報媒体の不正な再利用を防ぐと共に、メモリに記憶された情報を保護すること。【解決手段】フィルム状の基体の第一主面に、情報書込み手段と情報読出し手段と情報記憶手段とを備えたＩＣチップと、無線信号の受発信手段を備えた共振コイルとが載置され、第一主面の背面に粘着材層が形成された無線情報媒体において、粘着材層は前記ＩＣチップ載置領域の外囲に剥離容易領域を備え、一旦貼付した無線情報媒体の不正な再利用を防ぐと共に、メモリに記憶された情報を保護することができる。【選択図】図１
2005309492.tif 000002
【特許請求の範囲】
【請求項１】
フィルム状の基体の第一主面に、情報書込み手段と情報読出し手段と情報記憶手段とを備えたＩＣチップと、無線信号の受発信手段を備えた共振コイルとが載置され、前記第一主面の背面に粘着材層が形成された無線情報媒体において、前記粘着材層は前記ＩＣチップ載置領域の外囲を剥離容易領域とした無線情報媒体。
【請求項２】
前記粘着材層は、前記剥離容易領域よりも前記ＩＣチップ載置領域の粘着力が大きい粘着層が形成された請求項１に記載の無線情報媒体。
【請求項３】
前記ＩＣチップ載置領域周囲を垂直方向に破断容易部手段が形成された請求項１または２に記載の無線情報媒体。
【発明の詳細な説明】
【技術分野】
【０００１】
本発明は物品のトレーサビリティ管理を適正に行うため再使用を防止した無線情報媒体に関するものである。
【背景技術】
【０００２】
工業製品や農作物、食料品などの物品の素材、生産場所、流通経路などの物品固有の情報に基づくトレーサビリティ管理の重要性から、ＩＣタグやＩＣラベルなどの無線情報媒体を用いたトレーサビリティ管理が広く行われている。一方、物品から無線情報媒体を取り外し、情報を偽装したり、別の物品に再使用されるなどの不正使用が懸念される。従来の無線情報媒体としては、ＩＣラベルの形態を採り、一度物品に貼付したＩＣラベルが剥離された場合、ＩＣチップやアンテナを破壊し再使用を防ぐ構造としているものがあった（例えば、特許文献１参照）。
【０００３】
図２は、前記特許文献に記載された従来の無線情報媒体を示す断面図である。
【０００４】
図２において、ＩＣタグは、ＣＰＵ、メモリ、変復調回路、電源制御回路を集積回路化したＩＣチップ１０１と、アンテナ１０２とＩＣチップ１０１間を接続する導線１０３とがほぼ同一の平面上に配置されて第一の粘着層１０４と第二の粘着層１０５との間に挟み込まれ、第一の粘着層１０４の外側には表面基材１０６が、第二の粘着層１０５の外側には剥離ライナ１０７がそれぞれ貼着されてシート状に一体化し、粘着層１０４、１０５で挟み込まれているＩＣチップ１０１の中で、導線１０３やＩＣチップ１０１等の表面積は、コイル状のアンテナ１０２の表面積に比べ非常に小さいので、ＩＣタグを貼付対象の部品上に一旦貼付した後で引き剥がそうとした場合、アンテナ１０２、導線１０３及びＩＣチップ１０１からなる本体部分と被着材の表面との間に働く粘着力に抵抗する外力が加わり、その外力は前記本体部分を構成する各部にそれぞれ不均一に加えられることになり、導線１０３の断線やＩＣチップ１０１の端子部との接続部分などを破壊することで再使用を防いでいた。
【特許文献１】特開２０００−２５１１６４号公報
【発明の開示】
【発明が解決しようとする課題】
【０００５】
しかしながら、前記従来の構成では、ＣＰＵ、メモリ、変復調回路、電源制御回路が集積回路化されたＩＣチップ１０１をも破壊する恐れがある。ＩＣチップ１０１が破壊された場合、ＩＣチップ１０１に内蔵されているメモリに記憶された情報を読出すことが困難になるという課題を有していた。
【０００６】
本発明は、前記従来の課題を解決するもので、一旦貼付した無線情報媒体が引き剥された場合の再利用とメモリ記憶情報の破壊を防ぐ無線情報媒体を提供することを目的とする。
【課題を解決するための手段】
【０００７】
前記従来の課題を解決するために、本発明の無線情報媒体は、フィルム状の基体の第一主面に、情報書込み手段と情報読出し手段と情報記憶手段とを備えたＩＣチップと、無線信号の受発信手段を備えた共振コイルとが載置され、第一主面の背面に粘着材層が形成された無線情報媒体において、粘着材層は前記ＩＣチップ載置領域の外囲に剥離容易領域を備えたものである。
【０００８】
本構成によって、一旦貼付した無線情報媒体の不正な再利用を防ぐと共に、メモリに記憶された情報を保護することができる。
【発明の効果】
【０００９】
以上のように、本発明の無線情報媒体によれば、工業製品や農作物、食料品などの物品の素材、生産場所、流通経路などの物品固有の情報に基づくトレーサビリティ管理などに用いられるＩＣタグやＩＣラベルなどの情報を偽装したり、別の物品に再使用されるなどの不正使用を防ぐ事が出来る。さらに、ＩＣチップは破壊されることがないので引き剥がされた物品固有の情報は保持することができる。
【発明を実施するための最良の形態】
【００１０】
以下本発明の実施の形態について、図面を参照しながら説明する。
【００１１】
（実施の形態）
図１は、本発明の実施の形態における無線情報媒体としてＩＣラベルを示した断面図である。
【００１２】
図１において、ＩＣチップ７はＣＰＵ、メモリ、変復調回路、電源制御回路が集積回路化され半導体素子であり、絶縁性、耐湿性に優れる紙や合成樹脂やポリイミドフィルムなどがフィルム状に加工された基体３の第一主面に薄膜の共振コイルからなるアンテナ６と共に載置されている。アンテナ６は金、銀、銅などの導電性ペーストをパターニングにより形成したり、金、銀、銅などの薄膜を貼り付けたり、金、銀、銅などを蒸着を用いて形成することができる。ＩＣチップ７とアンテナ６とは絶縁性、耐湿性に優れる紙や合成樹脂などがフィルム状に加工された保護被膜８で基体３の第一主面が保護されている。ＩＣチップ７とアンテナ６とは導通接続されており、情報識別装置（図示せず）が発信する電波を受信して誘電された電圧を電源とし情報書込み、情報読出し、情報記憶が行われる。また、アンテナ６はＩＣチップ７外囲に張り巡らされており、貼付されたＩＣラベルが引き剥がされた場合にはアンテナ６だけが剥がれＩＣチップ７は残留する構造となっている。アンテナ６だけが剥がれる構造としてはＩＣチップ７外囲にミシン目やリード罫などの破断容易部９を設ける構造としている。また、アンテナ６の下層に位置する粘着材層２の粘着力を小さくし剥離容易領域に形成する構造も有効である。
【００１３】
基体３の第二主面にアクリル系やゴム系からなる粘着材層２が設けられ、更に、粘着材層２を覆う紙やフィルムからなる剥離紙１が設けられている。
【００１４】
かかる構成によれば、ＩＣラベルを不正に剥がし取られるような場合、ＩＣチップ７とアンテナ６とが断線状態になるため、情報識別装置（図示せず）が発信する電波を受信することが不可能となり電源電圧を誘電することが出来ずに情報書込み、情報読出し、情報記憶を行うことが出来ないため情報が偽装されることがない。さらに、ＩＣチップ７は破壊されずに確実に残留することで、引き剥がされた物品固有の情報は保持される。また、ＩＣチップ７は物品に残留するため、他の物品に不正に再貼付されることがない。
【００１５】
また、共振コイルからなるアンテナ６は通信を行う時以外は特に用を成さないため、ＩＣラベルが剥がし取られるような場合は破壊しても特に影響はない。
【００１６】
なお、本実施の形態において、無線情報媒体としてＩＣラベルを用いて説明したが、共振コイルからなるアンテナ６の誘電により電源電圧を確保する構成を備えた無線情報媒体であれば適宜用いる事が出来る。
【産業上の利用可能性】
【００１７】
適正な物品のトレーサビリティ管理に有用であり、特に無線情報媒体に適している。
【図面の簡単な説明】
【００１８】
【図１】本発明の実施の形態における無線情報媒体の断面図
【図２】従来の無線情報媒体の断面図
【符号の説明】
【００１９】
１  剥離紙
２  粘着材層
３  基体（フィルム）
６  アンテナ
７  ＩＣチップ
８  保護被膜
１０１  ＩＣチップ
１０２  アンテナ
１０３  導線
１０４  第一の粘着層
１０５  第二の粘着層
１０６  表面基材
１０７  ライナ
【図１】
2005309492.tif 000003
【図２】
2005309492.tif 000004